(57)【要約】【課題】  回動ノブ部にノブキャップ部を固定する電子機器において、回動ノブ部とノブキャップ部を容易に分離させることができる電子機器を提供する。【解決手段】  筐体と、パネルと、シャフトの回動により内部の可変抵抗器の抵抗値を変化させるボリウム部と、円筒型を形成しシャフトと嵌合する孔を形成する円筒部を備えシャフトと共に回動する回動ノブ部と、回動ノブ部を挿入するノブキャップ部とを備え、ノブキャップ部は、端部の一部分に内側に折り曲げた折り曲げ部を備え、回動ノブ部は、外周に前記折り曲げ部を挿入する溝部を備えると共に他方の側面に折り曲げ部と嵌合する切欠きを備えるアーム部を備え、アーム部は、溝部から切欠き部に回転する方向に亘ってノブキャップ部が挿入される方向に傾斜する第１の傾斜部と、外側に傾斜した第２の傾斜部と、内側に突出する凸部とを備える。【選択図】      図１
2007184519.tif 000002
【特許請求の範囲】
【請求項１】
箱型を形成し内部に電子回路を固定する筐体と、前記筐体の一面に固定されるパネルと、前記パネルの内側に設置され回動可能なシャフトを備え当該シャフトの回動により内部の可変抵抗器の抵抗値を変化させるボリウム部と、円筒型を形成し前記ボリウム部と対向する方向に開口する凹部を備え当該凹部の略中央に前記シャフトと嵌合する孔を形成する円筒部を備え前記シャフトと共に回動する回動ノブ部と、前記回動ノブ部が挿入される凹部を備えるノブキャップ部とを備え、
前記ノブキャップ部は、内側に折り曲げた折り曲げ部を備え、
前記回動ノブ部は、外周に前記折り曲げ部を挿入する溝部を備えると共に他方の側面に前記折り曲げ部と嵌合する切欠き部を備えるアーム部を備え、
前記アーム部は、前記回動ノブ部の中央を軸として前記溝部から前記切欠き部に回転する方向に亘って前記ノブキャップ部が挿入される方向に傾斜し前記折り曲げ部がスライドする平面を有する第１の傾斜部と、前記回動ノブ部の中央を軸として前記溝部から前記切欠き部に回転する方向に亘って外側に傾斜した第２の傾斜部と、内側に突出する凸部とを備えることを特徴とする電子機器。
【請求項２】
箱型を形成し内部に電子回路を固定する筐体と、
前記筐体の一面に固定されるパネルと、
前記パネルの内側に設置され回動可能なシャフトを備え当該シャフトの回動により内部の可変抵抗器の抵抗値を変化させるボリウム部と、
円筒型を形成し前記ボリウム部と対向する方向に開口する凹部を備え当該凹部の略中央に前記シャフトと嵌合する孔を形成する円筒部を備え前記シャフトと共に回動する回動ノブ部と、前記回動ノブ部が挿入される凹部を備えるノブキャップ部とを備え、
前記ノブキャップ部は、内側に折り曲げた折り曲げ部を備え、
前記回動ノブ部は、外周に前記折り曲げ部を挿入する溝部を備えると共に前記折り曲げ部に当接し前記ノブキャップ部が挿入される方向と対向する方向への前記ノブキャップ部の移動を抑止する凸部を備えるアーム部を備え、
前記アーム部は、前記ノブキャップ部が挿入される方向に亘って外側に傾斜した傾斜部と、当該アーム部の先端が外側に露出する先端部分とを備えることを特徴とする電子機器。
【請求項３】
請求項１または請求項２記載の電子機器において、前記回動ノブ部は、前記ノブキャップ部を押圧する弾性部を備えることを特徴とする電子機器。
【請求項４】
箱型を形成し内部に電子回路を固定する筐体と、
前記筐体の一面に固定されるパネルと、
前記パネルの内側に設置され回動可能なシャフトを備え当該シャフトの回動により内部の可変抵抗器の抵抗値を変化させるボリウム部と、
円筒型を形成し前記ボリウム部と対向する方向に開口する凹部を備え当該凹部の略中央に前記シャフトと嵌合する孔を形成する円筒部を備え前記シャフトと共に回動する回動ノブ部と、前記回動ノブ部が挿入される凹部を備えるノブキャップ部とを備え、
前記ノブキャップ部は、内側に折り曲げた折り曲げ部を備え、
前記回動ノブ部は、外周に前記折り曲げ部を挿入する溝部と、
前記溝部に対して他方となる外周であって前記ノブキャップ部が挿入される方向の一端に前記折り曲げ部と嵌合する切欠き部と、
前記ノブキャップ部が挿入される方向と対向する方向へ前記ノブキャップ部を押圧する弾性部とを備えることを特徴とする電子機器。
【発明の詳細な説明】
【技術分野】
【０００１】
本発明は、オーディオ信号を増幅するオーディオ信号増幅装置または光ディスクを再生する再生装置等の電子機器に関する。
【背景技術】
【０００２】
従来の電子機器として、オーディオ信号増幅装置を例に挙げ説明する。
従来のオーディオ信号増幅装置として、筐体の前面に備えたパネルの裏面に回動するシャフトを備えた可変抵抗器を固定し、パネルの前方に突出した当該可変抵抗器のシャフトに回動ノブ部を固定し、この回動ノブを回動操作することにより、出力するオーディオ信号の信号レベルを可変するものがある（例えば、特許文献１参照。）。
【０００３】
図１５は、従来のオーディオ信号増幅装置の一例を示す斜視図である。
オーディオ信号増幅装置１００は、筐体２、パネル３、ボリウム部４、回動ノブ部５００、ノブキャップ部６００、図示しない入力部、出力部、増幅部及び電源部を備える。入力部、出力部、増幅部及び電源部は、筐体２の内部に固定され、パネル３は、筐体２の前面に固定される。
【０００４】
パネル３は、表面に凹部３０１を備え、当該凹部３０１の中央には前後に貫通する孔３０２を備える。ボリウム部４は、断面がＤ字形をした回動可能なシャフト４０１を備え、当該シャフト４０１がパネル３の孔３０２から前方に突出するようパネル３の後面に固定される。
【０００５】
入力部は、他の再生装置と電気的に接続され、出力部は、スピーカと電気的に接続される。電源部は、入力部、ボリウム部４、出力部及び増幅部へ電力を供給する。他の再生装置は、光ディスクに記録されているオーディオデータを再生し、オーディオ信号を出力する。オーディオ信号増幅装置１００の入力部は、他の再生装置から出力されたオーディオ信号を入力し、増幅部に出力する。増幅部は、入力部から出力されたオーディオ信号を増幅し、ボリウム部４に出力する。
【０００６】
ボリウム部４は、シャフト４０１を回動することにより、ボリウム部４の内部の可変抵抗器の抵抗値が変化し、増幅部から出力されたオーディオ信号の信号レベルを増減させる。出力部は、ボリウム部４により信号レベルが増減されたオーディオ信号をスピーカに出力する。スピーカは、出力部から出力されたオーディオ信号を音波として放音する。
【０００７】
回動ノブ部５００は、ＡＢＳ（Acrylonitrile Butadiene styrene resin）等の合成樹脂で成型された円筒型を形成し、後方に開口する凹部５０１を備える。回動ノブ部５００は、凹部５０１の中央に円筒部５０２を備え、円筒部５０２の中央にシャフト４０１を圧入するＤ字形をした孔５０３を備える。
【０００８】
ノブキャップ部６００は、アルミニウム部材であり、円筒型を形成し、後方に開口する凹部６０１を備える。ノブキャップ部６００は、凹部６０１に回動ノブ部５００が挿入され接着剤で接着されることにより回動ノブ部５００に固定される。回動ノブ部５００は、ノブキャップ部６００を固定した状態で孔５０３にシャフト４０１を圧入することにより、シャフト４０１に保持された状態となる。したがって、ノブキャップ部６００を回動することによりシャフト４０１が回動する。
【０００９】
以上の構成により、従来のオーディオ信号増幅装置１００は、入力部から入力したオーディオ信号を増幅部によって増幅し、ノブキャップ部６００を回動させることによって出力部から出力するオーディオ信号の信号レベルを増減することができる。
【００１０】
【特許文献１】特開平１０−０７００１４公報
【発明の開示】
【発明が解決しようとする課題】
【００１１】
近年、環境保全のために、電子機器等に用いた資材を有効利用するための資材リサイクル活動が高まりつつある。電子機器を構成する複数の種類の部材をリサイクル活用する場合、それぞれの部材を分離し回収する作業が必要になる。
【００１２】
従来のオーディオ信号記録装置１００の回動ノブ部５００及びノブキャップ部６００をリサイクル活用する場合、ノブキャップ部６００を回動ノブ部５００から分離することが必要となる。しかしながら、従来のオーディオ信号増幅装置は、組立時に回動ノブ部５００がノブキャップ部６００に接着剤で接着されるため、ノブキャップ部６００を回動ノブ部５００から分離することが非常に困難であり、リサイクルのためのコストが高くなっていた。
【００１３】
このようなアルミニウム部材のノブキャップ部を用いないで、合成樹脂で成型された回動ノブ部に塗装等を施したものをそのまま表面に露出させる構成とすれば、リサイクルのためのコストを低減させることができる。しかし、合成樹脂の成型品は、アルミニウム部材と比較して光沢や質感が劣ってしまうため、ノブキャップ部を用いないで合成樹脂で成型された回動ノブ部が表面に露出してしまうと、オーディオ信号増幅装置１００の美観や質感が損なわれてしまう。
【００１４】
本発明は、回動ノブ部にノブキャップ部を固定する電子機器において、回動ノブ部とノブキャップ部を容易に分離させることができる電子機器を提供することを目的とする。
【課題を解決するための手段】
【００１５】
本願の請求項１記載の発明は、電子機器において、箱型を形成し内部に電子回路を固定する筐体と、前記筐体の一面に固定されるパネルと、前記パネルの内側に設置され回動可能なシャフトを備え当該シャフトの回動により内部の可変抵抗器の抵抗値を変化させるボリウム部と、円筒型を形成し前記ボリウム部と対向する方向に開口する凹部を備え当該凹部の略中央に前記シャフトと嵌合する孔を形成する円筒部を備え前記シャフトと共に回動する回動ノブ部と、前記回動ノブ部が挿入される凹部を備えるノブキャップ部とを備え、前記ノブキャップ部は、内側に折り曲げた折り曲げ部を備え、前記回動ノブ部は、外周に前記折り曲げ部を挿入する溝部を備えると共に他方の側面に前記折り曲げ部と嵌合する切欠き部を備えるアーム部を備え、前記アーム部は、前記回動ノブ部の中央を軸として前記溝部から前記切欠き部に回転する方向に亘って前記ノブキャップ部が挿入される方向に傾斜し前記折り曲げ部がスライドする平面を有する第１の傾斜部と、前記回動ノブ部の中央を軸として前記溝部から前記切欠き部に回転する方向に亘って外側に傾斜した第２の傾斜部と、内側に突出する凸部とを備えることを特徴とする。
【００１６】
また、本願の請求項２記載の発明は、電子機器において、箱型を形成し内部に電子回路を固定する筐体と、前記筐体の一面に固定されるパネルと、前記パネルの内側に設置され回動可能なシャフトを備え当該シャフトの回動により内部の可変抵抗器の抵抗値を変化させるボリウム部と、円筒型を形成し前記ボリウム部と対向する方向に開口する凹部を備え当該凹部の略中央に前記シャフトと嵌合する孔を形成する円筒部を備え前記シャフトと共に回動する回動ノブ部と、前記回動ノブ部が挿入される凹部を備えるノブキャップ部とを備え、前記ノブキャップ部は、内側に折り曲げた折り曲げ部を備え、前記回動ノブ部は、外周に前記折り曲げ部を挿入する溝部を備えると共に前記折り曲げ部に当接し前記ノブキャップ部が挿入される方向と対向する方向への前記ノブキャップ部の移動を抑止する凸部を備えるアーム部を備え、前記アーム部は、前記ノブキャップ部が挿入される方向に亘って外側に傾斜した傾斜部と、当該アーム部の先端が外側に露出する先端部分とを備えることを特徴とする。
【００１７】
また、本願の請求項３記載の発明は、請求項１または請求項２記載の電子機器において、前記回動ノブ部は、前記ノブキャップ部を押圧する弾性部を備えることを特徴とする。
【００１８】
また、本願の請求項４記載の発明は、箱型を形成し内部に電子回路を固定する筐体と、
前記筐体の一面に固定されるパネルと、前記パネルの内側に設置され回動可能なシャフトを備え当該シャフトの回動により内部の可変抵抗器の抵抗値を変化させるボリウム部と、円筒型を形成し前記ボリウム部と対向する方向に開口する凹部を備え当該凹部の略中央に前記シャフトと嵌合する孔を形成する円筒部を備え前記シャフトと共に回動する回動ノブ部と、前記回動ノブ部が挿入される凹部を備えるノブキャップ部とを備え、前記ノブキャップ部は、内側に折り曲げた折り曲げ部を備え、前記回動ノブ部は、外周に前記折り曲げ部を挿入する溝部と、前記溝部に対して他方となる外周であって前記ノブキャップ部が挿入される方向の一端に前記折り曲げ部と嵌合する切欠き部と、前記ノブキャップ部が挿入される方向と対向する方向へ前記ノブキャップ部を押圧する弾性部とを備えることを特徴とする。
【発明の効果】
【００１９】
本発明の電子機器によれば、回動ノブ部にノブキャップ部を固定する電子機器において、回動ノブ部とノブキャップ部を容易に分離させることができる電子機器を提供することができる。
【発明を実施するための最良の形態】
【００２０】
本発明の実施の形態を図面を参照して説明する。なお、従来技術で示した構成要素と同一の部分については同符号を用いる。
【００２１】
本実施例においては、電子機器としてオーディオ信号増幅装置を例に挙げ説明する。
図１は、本発明の第１実施例のオーディオ信号増幅装置の構成を示す斜視図である。
【００２２】
オーディオ信号増幅装置１は、筐体２、パネル３、ボリウム部４、回動ノブ部５、ノブキャップ部６、図示しない入力部、出力部、増幅部及び電源部を備える。入力部、出力部、増幅部及び電源部は、筐体２の内部に固定され、パネル３は、筐体２の前面に固定される。
【００２３】
パネル３は、表面に凹部３０１を備え、当該凹部３０１の中央には前後に貫通する孔３０２を備える。ボリウム部４は、断面がＤ字形をした回動可能なシャフト４０１を備え、当該シャフト４０１がパネル３の孔３０２から前方に突出するようパネル３の後面に固定される。
【００２４】
入力部は、他の再生装置と電気的に接続され、出力部は、スピーカと電気的に接続されている。電源部は、入力部、ボリウム部４、出力部及び増幅部へ電力を供給する。他の再生装置は、光ディスクに記録されているオーディオデータを再生し、オーディオ信号を出力する。オーディオ信号増幅装置の入力部は、他の再生装置から出力されたオーディオ信号を入力し、増幅部に出力する。増幅部は、入力部から出力されたオーディオ信号を増幅し、ボリウム部４に出力する。
【００２５】
ボリウム部４は、シャフト４０１を回動することにより、ボリウム部４の内部の可変抵抗器の抵抗値が変化し、増幅部から出力されたオーディオ信号の信号レベルを増減させる。出力部は、ボリウム部４により信号レベルが増減されたオーディオ信号をスピーカに出力する。スピーカは、出力部から出力されたオーディオ信号を音波として放音する。
【００２６】
回動ノブ部５は、ＡＢＳ等の合成樹脂で成型された円筒型を形成し、後方に開口する凹部５０１を備える。回動ノブ部５は、凹部５０１の中央に円筒部５０２を備え、円筒部５０２の中央にシャフト４０１を圧入するＤ字形をした孔５０３を備える。
【００２７】
ノブキャップ部６は、円筒型を形成し、後方に開口する凹部６０１を備える。ノブキャップ部６は、凹部６０１に回動ノブ部５が挿入された状態で回動ノブ部５に固定される。回動ノブ部５及びノブキャップ部６のその他の構成については、後述する。
【００２８】
回動ノブ部５は、ノブキャップ部６を固定した状態で孔５０３にシャフト４０１を圧入することにより、シャフト４０１に保持された状態となる。したがって、ノブキャップ部６００を回動することによりシャフト４０１が回動する。
【００２９】
以上の構成により、従来のオーディオ信号増幅装置１は、入力部から入力したオーディオ信号を増幅部によって増幅し、ノブキャップ部６を回動させることによって出力部から出力するオーディオ信号の信号レベルを増減することができる。
【００３０】
図２は、本発明の第１実施例のノブキャップ部６を示す図で、図２（ａ）は前面図、図２（ｂ）は側面図、図２（ｃ）は後面図である。図２（ｂ）においては、左方向をノブキャップ部６の前方とし、右方向をノブキャップ部６の後方とする。
ノブキャップ部６は、アルミニウム部材であり、外周の後方部分の一部を内側に折り曲げた折り曲げ部６０２を備える。
【００３１】
図３は、本発明の第１実施例の回動ノブ部５を示す図で、図３（ａ）は前面図、図３（ｂ）は側面図、図３（ｃ）は後面図、図３（ｄ）は図３（ａ）のＡ−Ａ断面図である。図３（ｂ）においては、左方向を回動ノブ部５の前方とし、右方向を回動ノブ部５の後方とする。
【００３２】
回動ノブ部５は、前面に弾性部７を備え、外周の一部にアーム部８を備える。弾性部７は、前後に貫通するコの字形の孔７０１を備え、この孔７０１によって形成された帯状の部分の先端部分に前方に突出する凸部７０２を備える。図３（ｄ）に示すように、弾性部７は、凸部７０２の先端が後方に押圧されることによって後方に弾性変形し、この押圧がなくなると元の位置に戻る。
【００３３】
回動ノブ部５は、図３（ａ）及び図３（ｂ）に示すように、アーム部８の一方の側面（図３（ｂ）に示す上方向の側面）に溝部５０４を備えると共にアーム部８の他方の側面（図３（ｂ）に示す下方向の側面）にスリット５０５及び切欠き部５０６を備える。溝部５０４の外周方向の幅は、図２（ｂ）に示すノブキャップ部６の折り曲げ部６０２の外周方向の幅より僅かに長い。アーム部８の切欠き部５０６と対向する側面（図３（ｂ）に示すアーム部８の下方向の側面）から切欠き部５０６の側面（図３（ｂ）に示す切欠き部５０６の下方向の側面）までの幅は、図２（ｂ）に示すノブキャップ部６の折り曲げ部６０２の外周方向の幅より僅かに長い。
【００３４】
図３（ｂ）に示すように、アーム部８は、後方部分に回動ノブ部５の後方から見て反時計回り方向に亘って後方に傾斜し斜め後方に平面を有する第１の傾斜部８０１を備える。また、図３（ｃ）に示すように、アーム部８は、後方部分に回動ノブ部５の後方から見て反時計回り方向に亘って外側に傾斜した傾斜面を有する第２の傾斜部８０２を備える。図３（ｃ）に示すように、アーム部８は、後方部分に内側に突出する凸部８０３を備える。
【００３５】
図４は、本発明の第１実施例の回動ノブ部５にノブキャップ部６を固定しようとする様子を示す図で、図４（ａ）は側面図、図４（ｂ）は後面図である。図４（ａ）においては、左方向を回動ノブ部５の前方とし、右方向を回動ノブ部５の後方とする。
回動ノブ部５にノブキャップ部６を固定する場合は、先ず、ノブキャップ部６の折り曲げ部６０２の位置と回動ノブ部５の溝部５０４の位置を合わせた状態で、ノブキャップ部６の凹部６０１に回動ノブ部５を挿入する。すると、ノブキャップ部６は、図４（ａ）に示すように、折り曲げ部６０２が回動ノブ部５の溝部５０４に嵌合した状態で回動ノブ部５に挿入される。
【００３６】
図５は、本発明の第１実施例のオーディオ信号増幅装置１において、図４（ａ）及び（ｂ）に示す状態からノブキャップ部６を回転させた状態を示す図で、図５（ａ）は側面図、図５（ｂ）は後面図である。図５（ａ）においては、左方向を回動ノブ部５の前方とし、右方向を回動ノブ部５の後方とする。
図４（ａ）及び（ｂ）に示すように、回動ノブ部５の凹部５０１の前方の内壁に弾性部７の凸部７０２が当接する位置になるまでノブキャップ部６を挿入させた後、回動ノブ部５の後方から見てノブキャップ部６を反時計回りに回転させる。すると、折り曲げ部６０２の前端部分が第１の傾斜部８０１の傾斜面と当接し、更に折り曲げ部６０２の前端部分が第１の傾斜部８０１の傾斜面をスライドする。ノブキャップ部６は、折り曲げ部６０２の前端部分が第１の傾斜部８０１の傾斜面をスライドすることにより、回動ノブ部５に対して斜め後方にねじ込まれた状態で更に回動ノブ部５に挿入される。このとき、アーム部８は、図５（ｂ）に示すように、折り曲げ部６０２がアーム部８の第２の傾斜部８０２を回動ノブ部５の後方から見て反時計回りにスライドすることにより、折り曲げ部６０２によって内側に押圧され、内側方向に弾性変形する。また、このとき、弾性部７は、凸部７０２がノブキャップ部６の凹部６０１の内壁に押圧され、後方に弾性変形する。
【００３７】
図６は、本発明の第１実施例のオーディオ信号増幅装置１において、図５（ａ）及び（ｂ）に示す状態から更にノブキャップ部６を回転させた状態を示す図で、図６（ａ）は側面図、図６（ｂ）は後面図である。
図５（ａ）及び（ｂ）に示す状態から、回動ノブ部５の後方から見て更にノブキャップ部６を反時計回りに回転させると、ノブキャップ部６の折り曲げ部６０２は、アーム部８の第１の傾斜部８０１から外れ、切欠き部５０６に嵌合した状態となる。このとき、アーム部８は、図６（ｂ）に示すように、折り曲げ部６０２による内側への押圧から開放され、元の位置に戻る。
【００３８】
ノブキャップ部６は、折り曲げ部６０２が切欠き部５０６に嵌合することにより、切欠き部５０６及びアーム部８のそれぞれの側面によって外周方向へスライドすることを抑止され、また、弾性部７が弾性変形していることにより、弾性部７がノブキャップ部６の内壁を前方に押圧する力が生じ、折り曲げ部６０２の前端部分が切欠き部５０６の前方の内壁に当接した状態を維持する。このことにより、ノブキャップ部６を回動ノブ部５に固定することができる。
【００３９】
回動ノブ部５とノブキャップ部６を分離する場合は、先ず、図６（ａ）及び（ｂ）に示す状態から、アーム部８の凸部８０３をつかんで回動ノブ５の内側に引き、アーム部８を内側に撓ませた状態でノブキャップ部６を回動ノブ部５の後方から見て時計回りに回転させ、図４（ａ）及び（ｂ）に示すように、折り曲げ部６０２を溝部５０４の位置にする。次に、ノブキャップ部６を回動ノブ部５から引き抜く。これにより、ノブキャップ部６は、折り曲げ部６０２が回動ノブ部５の溝部５０４に嵌合した状態で回動ノブ部５から引き抜くことができ、回動ノブ部５とノブキャップ部６を分離することができる。
【００４０】
以上により、本発明の第１実施例のオーディオ信号増幅装置１は、回動ノブ部５及びノブキャップ部６をリサイクル活用する場合、アーム部８の凸部８０３を内側に引いた状態で回動ノブ部５の後方から見てノブキャップ部６を時計回りに回転させた後、回動ノブ部５からノブキャップ部６を引き抜くことによって回動ノブ部５とノブキャップ部６を簡単に分離することができるので、リサイクルのためのコストを低減することができる。
【００４１】
次に、本発明の一実施例のオーディオ信号増幅装置の第２実施例について説明する。
第２実施例におけるオーディオ信号増幅装置は、回動ノブ部の構成以外は、第１実施例の構成と同じであるため、詳細な説明は省略する。
【００４２】
図７は、本発明の第２実施例の回動ノブ部を示す図で、図７（ａ）は前面図、図７（ｂ）は側面図、図７（ｃ）は後面図、図７（ｄ）は図７（ａ）のＡ−Ａ断面図、図７（ｅ）は図７（ｂ）のＢ−Ｂ断面図である。図７（ｂ）においては、左方向を回動ノブ部の前方とし、右方向を回動ノブ部の後方とする。
【００４３】
回動ノブ部５０は、前面に弾性部７、孔７０１及び凸部７０２を備える。第２実施例における弾性部７、孔７０１及び凸部７０２の構成については第１実施例の構成と同じであるため、詳細な説明は省略する。
【００４４】
回動ノブ部５０は、図７（ａ）及び図７（ｂ）に示すように、側面に溝部５０４を備えると共に、当該溝部５０４よりも内側であって溝部５０４の両側面（図７（ｂ）に示す上方向の側面及びした方向に側面）の間となる位置にアーム部９を備える。
溝部５０４の外周方向の幅は、図２（ｂ）に示すノブキャップ部６の折り曲げ部６０２の外周方向の幅より僅かに長い。
【００４５】
図７（ｂ）及び図７（ｅ）に示すように、アーム部９は、外側方向に突出する凸部９０１を備える。凸部９０１は、図７（ｅ）に示すように、回動ノブ部５０の前方から後方に亘って外側方向に傾斜した傾斜面を有する傾斜部９０２を備える。
回動ノブ部５０の前面から凸部９０１の後端までの長さは、図２（ｂ）に示すノブキャップ部６の凹部６０１の前方の面から折り曲げ部６０２の前端までの長さより僅かに短い。また、回動ノブ部５０の前面からアーム部９の後端までの長さは、図２（ｂ）に示すノブキャップ部６の凹部６０１の前方の面から折り曲げ部６０２の後端までの長さより長い。
【００４６】
図８は、本発明の第２実施例の回動ノブ部５０にノブキャップ部６を固定しようとする様子を示す図で、図８（ａ）は側面図、図８（ｂ）は後面図である。図８（ａ）においては、左方向を回動ノブ部５０の前方とし、右方向を回動ノブ部５０の後方とする。
回動ノブ部５０にノブキャップ部６を固定する場合は、先ず、ノブキャップ部６の折り曲げ部６０２の位置と回動ノブ部５０の溝部５０４の位置を合わせた状態で、ノブキャップ部６の凹部６０１を回動ノブ部５０に挿入する。すると、ノブキャップ部６は、図８（ａ）に示すように、折り曲げ部６０２が回動ノブ部５０の溝部５０４に嵌合した状態で回動ノブ部５０に挿入される。
【００４７】
図９は、本発明の第２実施例のオーディオ信号増幅装置１において、図８（ａ）及び（ｂ）に示す状態から更にノブキャップ部６を回動ノブ部５０に挿入した状態を示す図で、図９（ａ）は側面図、図９（ｂ）は後面図である。図９（ａ）においては、左方向を回動ノブ部５０の前方とし、右方向を回動ノブ部５０の後方とする。
図９（ａ）及び（ｂ）に示すように、更にノブキャップ部６を回動ノブ部５０に挿入すると折り曲げ部６０２の後端部分が傾斜部９０２の傾斜面と当接し、この状態から更にノブキャップ部６を回動ノブ部５０に挿入すると、折り曲げ部６０２が傾斜部９０２をスライドしながら移動することにより折り曲げ部６０２が傾斜部９０２を内側方向に押圧する力が働き、アーム部９が内側に撓む。
【００４８】
図１０は、本発明の第２実施例のオーディオ信号増幅装置１において、図９（ａ）及び（ｂ）に示す状態から更にノブキャップ部６を回動ノブ部５０に挿入させた状態を示す図で、図１０（ａ）は側面図、図１０（ｂ）は後面図である。
図９（ａ）及び（ｂ）に示す状態から、更にノブキャップ部６を回動ノブ部５０に挿入させると、ノブキャップ部６の折り曲げ部６０２は、アーム部９の傾斜部９０２から外れる。このとき、アーム部９は、図１０（ｂ）に示すように、折り曲げ部６０２による内側への押圧から開放され、元の位置に戻る。
【００４９】
ノブキャップ部６は、折り曲げ部６０２の前端部分が凸部９０１の後端部分に当接することによって、前方へスライドすることを抑止され、また、弾性部７が弾性変形していることにより、弾性部７がノブキャップ部６の内壁を前方に押圧する力が生じ、折り曲げ部６０２の前端部分が凸部９０１の後端に当接した状態を維持する。このことにより、ノブキャップ部６を回動ノブ部５０に固定することができる。
【００５０】
回動ノブ部５０とノブキャップ部６を分離する場合は、先ず、図１０（ａ）及び（ｂ）に示す状態から、折り曲げ部６０２の後方から外側に露出したアーム部９の後端部分９０３を回動ノブ５の内側に押し込み、アーム部９を内側に撓ませた状態でノブキャップ部６を回動ノブ部５から引き抜く。これにより、ノブキャップ部６は、折り曲げ部６０２が回動ノブ部５０の溝部５０４に嵌合した状態で回動ノブ部５０から引き抜くことができ、回動ノブ部５０とノブキャップ部６を分離することができる。
【００５１】
以上により、本発明の第２実施例のオーディオ信号増幅装置１は、回動ノブ部５０及びノブキャップ部６をリサイクル活用する場合、折り曲げ部６０２の後方から外側に露出したアーム部９の後端部分９０３を回動ノブ５の内側に押し込み、アーム部９を内側に撓ませた状態でノブキャップ部６を回動ノブ部５から引き抜くことによって、回動ノブ部５０とノブキャップ部６を簡単に分離することができるので、リサイクルのためのコストを低減することができる。また、本発明の第２実施例の回動ノブ部５０は、第１実施例で説明した回動ノブ部５の構成より簡単な構成とすることができるので、回動ノブ部の成型コストを低減させることができる。
【００５２】
次に、本発明の一実施例のオーディオ信号増幅装置の第３実施例について説明する。
第３実施例におけるオーディオ信号増幅装置は、回動ノブ部の構成以外は、第１実施例の構成と同じであるため、詳細な説明は省略する。
【００５３】
図１１は、本発明の第３実施例の回動ノブ部を示す図で、図１１（ａ）は前面図、図１１（ｂ）は側面図、図１１（ｃ）は後面図、図１１（ｄ）は図１１（ａ）のＡ−Ａ断面図である。図１１（ｂ）においては、左方向を回動ノブ部の前方とし、右方向を回動ノブ部の後方とする。
【００５４】
回動ノブ部５１は、前面に弾性部７、孔７０１及び凸部７０２を備える。第３実施例における弾性部７、孔７０１及び凸部７０２の構成については第１実施例の構成と同じであるため、詳細な説明は省略する。
【００５５】
回動ノブ部５１は、図１１（ａ）及び（ｂ）に示すように、側面に溝部５０４を備えると共に、溝部５０４の他方の側面の後端（図１１（ｂ）に示す下方向の側面の後端）に切欠き部５１１を備える。溝部５０４の外周方向の幅は、図２（ｂ）に示すノブキャップ部６の折り曲げ部６０２の外周方向の幅より僅かに長い。
回動ノブ部５１の前面から後端までの長さは、図２（ｂ）に示すノブキャップ部６の凹部６０１の前方の面から折り曲げ部６０２の前端までの長さより僅かに短い。
切欠き部５１１の外周方向の幅は、図２（ｂ）に示すノブキャップ部６の折り曲げ部６０２の外周方向の幅より僅かに長い。
凸部７０２の前端から切欠き部５１１の前端までの長さは、図２（ｂ）に示すノブキャップ部６の凹部６０１の前方の面から折り曲げ部６０２の前端までの長さより長い。
【００５６】
図１２は、本発明の第３実施例の回動ノブ部５１にノブキャップ部６を固定しようとする様子を示す図で、図１２（ａ）は側面図、図１２（ｂ）は後面図である。図１２（ａ）においては、左方向を回動ノブ部５１の前方とし、右方向を回動ノブ部５１の後方とする。
【００５７】
回動ノブ部５１にノブキャップ部６を固定する場合は、先ず、ノブキャップ部６の折り曲げ部６０２の位置と回動ノブ部５１の溝部５０４の位置を合わせた状態で、ノブキャップ部６の凹部６０１を回動ノブ部５１に挿入する。そして、回動ノブ部５１の前面がノブキャップ部６の凹部６０１の前方の面に当接する位置となるまでノブキャップ部６を回動ノブ部５１に押し込む。すると、ノブキャップ部６は、図１２（ａ）に示すように、折り曲げ部６０２が回動ノブ部５１の溝部５０４に嵌合した状態で回動ノブ部５１の前面がノブキャップ部６の凹部６０１の前方の面に当接する位置となるまで回動ノブ部５１に挿入される。このとき、回動ノブ部５１の前面から後端までの長さがノブキャップ部６の凹部６０１の前方の面から折り曲げ部６０２の前端までの長さより短いことから、折り曲げ部６０２の前端の位置は回動ノブ部５１の後端よりも後方となる。
【００５８】
図１３は、本発明の第３実施例のオーディオ信号増幅装置１において、図１２（ａ）及び（ｂ）に示す状態からノブキャップ部６を回転させた状態を示す図で、図１３（ａ）は側面図、図１３（ｂ）は後面図である。図１３（ａ）においては、左方向を回動ノブ部５１の前方とし、右方向を回動ノブ部５１の後方とする。
【００５９】
図１２（ａ）及び（ｂ）に示すように、回動ノブ部５１の前面がノブキャップ部６の凹部６０１の前方の面に当接するようノブキャップ部６を押し込んだ後、次に、ノブキャップ部６を回転させる。回動ノブ部５１の前面がノブキャップ部６の凹部６０１の前方の面に当接した状態では、折り曲げ部６０２の先端の位置が回動ノブ部５１の後端より後方となるので、この状態でノブキャップ部６を回転させると、ノブキャップ部６は、折り曲げ部６０２が回動ノブ部５１の後方を移動しながら回動する。そして、図１３（ａ）及び（ｂ）に示すように、ノブキャップ部６の折り曲げ部６０２の位置が回動ノブ部５１の切欠き部５１１の後方となるまでノブキャップ部６を回転させる。
【００６０】
図１４は、本発明の第３実施例のオーディオ信号増幅装置１において、図１３（ａ）及び（ｂ）に示す状態からノブキャップ部６を回動ノブ部５１に押し込むのを解除した状態を示す図で、図１４（ａ）は側面図、図１４（ｂ）は後面図である。図１４（ａ）においては、左方向を回動ノブ部５１の前方とし、右方向を回動ノブ部５１の後方とする。
【００６１】
図１３（ａ）及び（ｂ）に示す状態から、ノブキャップ部６を回動ノブ部５１に押し込むのを解除すると、ノブキャップ部６は、弾性部７がノブキャップ部６の凹部６０１の前方の面を前方に押圧する力によって前方に移動し、折り曲げ部６０２が切欠き部５１１に嵌合した状態となる。
【００６２】
ノブキャップ部６は、折り曲げ部６０２が切欠き部５１１に嵌合することにより、外周方向へスライドすることを抑止され、また、弾性部７がノブキャップ部６の凹部６０１の内壁を前方に押圧していることにより、折り曲げ部６０２の前端部分が切欠き部５１１の前方の内壁に当接した状態を維持する。このことにより、ノブキャップ部６を回動ノブ部５１に固定することができる。
【００６３】
回動ノブ部５１とノブキャップ部６を分離する場合は、先ず、図１４（ａ）及び（ｂ）に示す状態から、回動ノブ部５１の前面がノブキャップ部６の凹部６０１の前方の面に当接するようノブキャップ部６を押し込んだ状態で、ノブキャップ部６を回転させ、図１２（ａ）及び（ｂ）に示すように、折り曲げ部６０２の位置を溝部５０４の位置にする。次に、ノブキャップ部６を回動ノブ部５１から引き抜く。これにより、ノブキャップ部６は、折り曲げ部６０２が回動ノブ部５１の溝部５０４に嵌合した状態で回動ノブ部５１から引き抜くことができ、回動ノブ部５１とノブキャップ部６を分離することができる。
【００６４】
以上により、本発明の第３実施例のオーディオ信号増幅装置１は、回動ノブ部５１及びノブキャップ部６をリサイクル活用する場合、回動ノブ部５１の前面がノブキャップ部６の凹部６０１の前方の面に当接するようノブキャップ部６を押し込んだままノブキャップ部６を回転させ、折り曲げ部６０２の位置を溝部５０４の位置とした状態でノブキャップ部６を回動ノブ部５１から引き抜くことによって、回動ノブ部５１とノブキャップ部６を簡単に分離することができるので、リサイクルのためのコストを低減することができる。また、本発明の第３実施例の回動ノブ部５１は、第１実施例で説明した回動ノブ部５及び第２実施例で説明した回動ノブ部５０より更に簡単な構成とすることができるので、回動ノブ部の成型コストを低減させることができる。
【図面の簡単な説明】
【００６５】
【図１】本発明の第１実施例のオーディオ信号増幅装置の構成を示す斜視図。
【図２】本発明の第１実施例のノブキャップ部６を示す図で、図２（ａ）は前面図、図２（ｂ）は側面図、図２（ｃ）は後面図。
【図３】本発明の第１実施例の回動ノブ部５を示す図で、図３（ａ）は前面図、図３（ｂ）は側面図、図３（ｃ）は後面図、図３（ｄ）は図３（ａ）のＡ−Ａ断面図。
【図４】本発明の第１実施例の回動ノブ部５にノブキャップ部６を固定しようとする様子を示す図で、図４（ａ）は側面図、図４（ｂ）は後面図。
【図５】本発明の第１実施例のオーディオ信号増幅装置１において、図４（ａ）及び（ｂ）に示す状態からノブキャップ部６を回転させた状態を示す図で、図５（ａ）は側面図、図５（ｂ）は後面図。
【図６】本発明の第１実施例のオーディオ信号増幅装置１において、図５（ａ）及び（ｂ）に示す状態から更にノブキャップ部６を回転させた状態を示す図で、図６（ａ）は側面図、図６（ｂ）は後面図。
【図７】本発明の第２実施例の回動ノブ部を示す図で、図７（ａ）は前面図、図７（ｂ）は側面図、図７（ｃ）は後面図、図７（ｄ）は図７（ａ）のＡ−Ａ断面図、図７（ｅ）は図７（ｂ）のＢ−Ｂ断面図。
【図８】本発明の第２実施例の回動ノブ部５０にノブキャップ部６を固定しようとする様子を示す図で、図８（ａ）は側面図、図８（ｂ）は後面図。
【図９】本発明の第２実施例のオーディオ信号増幅装置１において、図８（ａ）及び（ｂ）に示す状態から更にノブキャップ部６を回動ノブ部５０に挿入した状態を示す図で、図９（ａ）は側面図、図９（ｂ）は後面図。
【図１０】本発明の第２実施例のオーディオ信号増幅装置１において、図９（ａ）及び（ｂ）に示す状態から更にノブキャップ部６を回動ノブ部５０に挿入させた状態を示す図で、図１０（ａ）は側面図、図１０（ｂ）は後面図。
【図１１】本発明の第３実施例の回動ノブ部を示す図で、図１１（ａ）は前面図、図１５（ｂ）は側面図、図１１（ｃ）は後面図、図１１（ｄ）は図１１（ａ）のＡ−Ａ断面図。
【図１２】図１２は、本発明の第３実施例の回動ノブ部５１にノブキャップ部６を固定しようとする様子を示す図で、図１２（ａ）は側面図、図１２（ｂ）は後面図。
【図１３】本発明の第３実施例のオーディオ信号増幅装置１において、図１２（ａ）及び（ｂ）に示す状態からノブキャップ部６を回転させた状態を示す図で、図１３（ａ）は側面図、図１３（ｂ）は後面図。
【図１４】本発明の第３実施例のオーディオ信号増幅装置１において、図１３（ａ）及び（ｂ）に示す状態からノブキャップ部６を回動ノブ部５１に押し込むのを解除した状態を示す図で、図１４（ａ）は側面図、図１４（ｂ）は後面図。
【図１５】従来のオーディオ信号増幅装置の一例を示す斜視図。
【符号の説明】
【００６６】
１  オーディオ信号増幅装置、２  筐体、３  パネル、３０１  凹部、３０２  孔、
４  ボリウム部、４０１  シャフト、
５  回動ノブ部、５０１  凹部、５０２  円筒部、５０３  孔、
５０４  溝部、５０５  スリット、５０６  切欠き部、
７  弾性部、７０１  孔、７０２  凸部、
８  アーム部、８０１  第１の傾斜部、８０２  第２の傾斜部、８０３  凸部、
６  ノブキャップ部、６０１  凹部、６０２  折り曲げ部、
５１  回動ノブ部、５１１  切欠き部、
１００  オーディオ信号増幅装置、５００  回動ノブ部、６００  ノブキャップ部、
９  アーム部、９０１  凸部、９０２  傾斜部、９０３  後端部分、
５０  回動ノブ部
【図１】
2007184519.tif 000003
【図２】
2007184519.tif 000004
【図３】
2007184519.tif 000005
【図４】
2007184519.tif 000006
【図５】
2007184519.tif 000007
【図６】
2007184519.tif 000008
【図７】
2007184519.tif 000009
【図８】
2007184519.tif 000010
【図９】
2007184519.tif 000011
【図１０】
2007184519.tif 000012
【図１１】
2007184519.tif 000013
【図１２】
2007184519.tif 000014
【図１３】
2007184519.tif 000015
【図１４】
2007184519.tif 000016
【図１５】
2007184519.tif 000017